(57)【要約】【課題】  設置スペースの増大及び移動体通信事業者への金銭負担の増大を招くことなく、移動体通信の通信エリアを広げることが可能なモバイルネットワークを提供する。【解決手段】  無線ネットワーク多重装置４は無線ネットワーク制御装置１と、無線基地局３−１〜３−ｎとの間に配設され、無線基地局２−１〜２−ｍは無線ネットワーク制御装置１に直接接続されている。無線ネットワーク制御装置１からは１台の無線ネットワーク多重装置４を１台の無線基地局と認識し、無線ネットワーク多重装置４配下の無線基地局３−１〜３−ｎは無線ネットワーク制御装置１にて認識されない。よって、１台の無線ネットワーク制御装置１からは無線ネットワーク制御装置１直接配下の無線基地局２−１〜２−ｍと無線ネットワーク多重装置４とを合わせて数十台まで接続が可能である。【選択図】      図１                                                  
2005354240.tif 000002
【特許請求の範囲】
【請求項１】
移動体端末が接続される無線基地局と、前記無線基地局を制御する無線ネットワーク制御装置とからなるモバイルネットワークであって、前記無線基地局を前記無線ネットワーク制御装置に接続するための無線ネットワーク多重装置を前記無線基地局と前記無線ネットワーク制御装置との間に配設したことを特徴とするモバイルネットワーク。
【請求項２】
前記無線ネットワーク制御装置は、接続される前記無線ネットワーク多重装置を１台の無線基地局と認識することを特徴とする請求項１記載のモバイルネットワーク。
【請求項３】
前記無線ネットワーク多重装置の起動時及び配下の無線基地局の起動時に当該無線基地局を特定するための識別タグを割り当てる手段を前記無線ネットワーク多重装置に含むことを特徴とする請求項１または請求項２記載のモバイルネットワーク。
【請求項４】
前記識別タグと前記配下の無線基地局との関係を記憶する手段を前記無線ネットワーク多重装置に含むことを特徴とする請求項３記載のモバイルネットワーク。
【請求項５】
前記無線ネットワーク多重装置は、前記識別タグに基づいて前記無線基地局と前記無線ネットワーク制御装置との間の信号を中継することを特徴とする請求項３または請求項４記載のモバイルネットワーク。
【請求項６】
前記無線ネットワーク制御装置は、前記識別タグを前記無線基地局に対する処理に不使用としたことを特徴とする請求項３から請求項５のいずれか記載のモバイルネットワーク。
【請求項７】
前記無線ネットワーク多重装置配下の無線基地局は、前記無線ネットワーク制御装置への信号に前記識別タグを付加して送信することを特徴とする請求項３から請求項６のいずれか記載のモバイルネットワーク。
【請求項８】
移動体端末が接続される無線基地局と、前記無線基地局を制御する無線ネットワーク制御装置ともにモバイルネットワークを構成する無線ネットワーク多重装置であって、前記無線基地局と前記無線ネットワーク制御装置との間に配設されて前記無線基地局を前記無線ネットワーク制御装置に接続することを特徴とする無線ネットワーク多重装置。
【請求項９】
前記無線ネットワーク制御装置によって１台の無線基地局と認識されることを特徴とする請求項８記載の無線ネットワーク多重装置。
【請求項１０】
自装置の起動時及び配下の無線基地局の起動時に当該無線基地局を特定するための識別タグを割り当てる手段を含むことを特徴とする請求項８または請求項９記載の無線ネットワーク多重装置。
【請求項１１】
前記識別タグと前記配下の無線基地局との関係を記憶する手段を含むことを特徴とする請求項１０記載の無線ネットワーク多重装置。
【請求項１２】
前記識別タグに基づいて前記無線基地局と前記無線ネットワーク制御装置との間の信号を中継することを特徴とする請求項１０または請求項１１記載の無線ネットワーク多重装置。
【請求項１３】
配下の無線基地局が前記無線ネットワーク制御装置への信号に前記識別タグを付加して送信することを特徴とする請求項１０から請求項１２のいずれか記載の無線ネットワーク多重装置。
【請求項１４】
移動体端末が接続される無線基地局と、前記無線基地局を制御する無線ネットワーク制御装置とからなるモバイルネットワークの通信路を制御する通信路制御方法であって、前記無線基地局を前記無線ネットワーク制御装置に接続するための無線ネットワーク多重装置を前記無線基地局と前記無線ネットワーク制御装置との間に配設したことを特徴とする通信路制御方法。
【請求項１５】
前記無線ネットワーク制御装置が接続される前記無線ネットワーク多重装置を１台の無線基地局と認識することを特徴とする請求項１４記載の通信路制御方法。
【請求項１６】
前記無線ネットワーク多重装置側に、前記無線ネットワーク多重装置の起動時及び配下の無線基地局の起動時に当該無線基地局を特定するための識別タグを割り当てる処理を含むことを特徴とする請求項１４または請求項１５記載の通信路制御方法。
【請求項１７】
前記識別タグと前記配下の無線基地局との関係を前記無線ネットワーク多重装置に記憶することを特徴とする請求項１６記載の通信路制御方法。
【請求項１８】
前記無線ネットワーク多重装置が前記識別タグに基づいて前記無線基地局と前記無線ネットワーク制御装置との間の信号を中継することを特徴とする請求項１６または請求項１７記載の通信路制御方法。
【請求項１９】
前記無線ネットワーク制御装置が前記識別タグを前記無線基地局に対する処理に不使用としたことを特徴とする請求項１６から請求項１８のいずれか記載の通信路制御方法。
【請求項２０】
前記無線ネットワーク多重装置配下の無線基地局が前記無線ネットワーク制御装置への信号に前記識別タグを付加して送信することを特徴とする請求項１６から請求項１９のいずれか記載の通信路制御方法。
【発明の詳細な説明】
【技術分野】
【０００１】
本発明はモバイルネットワーク、無線ネットワーク多重装置及びそれに用いる通信路制御方法に関し、特に移動体通信の通話エリアを広げる方法に関する。
【背景技術】
【０００２】
従来のモバイルネットワークは、図９に示すように、図示せぬ移動体端末の発着信を中継する無線基地局（Ｎｏｄｅ−Ｂ）６−１〜６−３を無線ネットワーク制御装置（ＲＮＣ：Ｒａｄｉｏ  Ｎｅｔｗｏｒｋ  Ｃｏｎｔｒｏｌｌｅｒ）５に接続し、無線ネットワーク制御装置５が配下の無線基地局６−１〜６−３の制御を行っている。
【０００３】
上記の移動体通信の通話エリアを広げる方法としては、（１）無線基地局６−１〜６−３からの送信電力を上げる方法、（２）移動体端末の受信感度を上げる方法、（３）無線基地局６−１〜６−３をより細かに配備する方法（例えば、特許文献１参照）等が考えられる。
【０００４】
無線基地局６−１〜６−３からの送信電力を上げる方法では、送信電力を上げることで他装置への干渉となってしまう恐れがある。また、移動体端末の受信感度を上げる方法は、受信感度を上げることで移動体端末の電池の消費を激しくしてしまうので、極力避けるべきである。
【０００５】
無線基地局６−１〜６−３を無線環境の悪い屋内に多く配備する手段では、無線基地局６−１〜６−３のコアネットワーク側に配備されている１台の無線ネットワーク制御装置５に接続できる無線基地局６−１〜６−３の台数に制限が設けられており、費用と設置スペースがかかる。
【０００６】
【特許文献１】特開平６−２６１３６２号公報
【発明の開示】
【発明が解決しようとする課題】
【０００７】
現在のＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムにおいては、無線ネットワーク制御装置が配下の無線基地局の制御を行っており、処理能力的な面によって配下の無線基地局の接続可能数に制限が存在する。
【０００８】
移動体通信の通信エリアを広げるためには、無線基地局をエリアに対して設置すればよいが、無線ネットワーク制御装置１台に接続できる無線基地局の台数に制限があるために、無線ネットワーク制御装置の購入が必要となる可能性があり、無線基地局の設置スペースだけではなく、無線ネットワーク制御装置の設置スペースも必要となり、モバイルネットワーク通信装置が高価であるため、無線ネットワーク制御装置を購入する移動体通信事業者への金銭負担が大きくなる等の問題が発生する。
【０００９】
そこで、本発明の目的は上記の問題点を解消し、設置スペースの増大及び移動体通信事業者への金銭負担の増大を招くことなく、移動体通信の通信エリアを広げることができるモバイルネットワーク、無線ネットワーク多重装置及びそれに用いる通信路制御方法を提供することにある。
【課題を解決するための手段】
【００１０】
本発明によるモバイルネットワークは、移動体端末が接続される無線基地局と、前記無線基地局を制御する無線ネットワーク制御装置とからなるモバイルネットワークであって、前記無線基地局を前記無線ネットワーク制御装置に接続するための無線ネットワーク多重装置を前記無線基地局と前記無線ネットワーク制御装置との間に配設している。
【００１１】
本発明による無線ネットワーク多重装置は、移動体端末が接続される無線基地局と、前記無線基地局を制御する無線ネットワーク制御装置ともにモバイルネットワークを構成する無線ネットワーク多重装置であって、前記無線基地局と前記無線ネットワーク制御装置との間に配設されて前記無線基地局を前記無線ネットワーク制御装置に接続している。
【００１２】
本発明による通信路制御方法は、移動体端末が接続される無線基地局と、前記無線基地局を制御する無線ネットワーク制御装置とからなるモバイルネットワークの通信路を制御する通信路制御方法であって、前記無線基地局を前記無線ネットワーク制御装置に接続するための無線ネットワーク多重装置を前記無線基地局と前記無線ネットワーク制御装置との間に配設している。
【００１３】
すなわち、本発明のモバイルネットワークは、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）システムにおいて、無線ネットワーク制御装置に規定数以上の無線基地局を接続可能とすることを特徴とする。
【００１４】
より具体的に説明すると、本発明のモバイルネットワークでは、無線ネットワーク制御装置と無線基地局との間に無線ネットワーク多重装置を配備し、無線基地局を無線ネットワーク多重装置を介して無線ネットワーク制御装置に接続することで、従来の無線ネットワーク制御装置１台に対して制限数以上の無線基地局が接続可能となる。
【００１５】
これによって、本発明のモバイルネットワークでは、無線ネットワーク制御装置と無線基地局との間に無線ネットワーク多重装置を配備するだけなので、無線ネットワーク制御装置の設置費用を抑えることが可能となり、通信事業者の支出を圧縮することが可能となる。
【００１６】
また、本発明のモバイルネットワークでは、無線ネットワーク制御装置と無線基地局との間に無線ネットワーク多重装置を配備するだけであり、無線ネットワーク多重装置が無線ネットワーク制御装置に比べて簡易な機能であるため、その設置スペースの縮小が期待される。
【００１７】
さらに、本発明のモバイルネットワークでは、無線ネットワーク制御装置と無線基地局との間に無線ネットワーク多重装置を配備するだけなので、エリアの谷間や山間部の小集落、地下・屋内等に、無線ネットワーク制御装置の制限に依存することなく、無線基地局を設置することが可能となり、通信エリアが拡大可能となる。
【００１８】
さらにまた、本発明のモバイルネットワークでは、無線ネットワーク制御装置と無線基地局との間に無線ネットワーク多重装置を配備するだけなので、通話品質の低いエリアにおいても、無線ネットワーク制御装置の制限に依存することなく、無線基地局を設置することが可能となり、通信品質を改善することが可能となる。
【発明の効果】
【００１９】
本発明は、以下に述べるような構成及び動作とすることで、設置スペースの増大及び移動体通信事業者への金銭負担の増大を招くことなく、移動体通信の通信エリアを広げることができるという効果が得られる。
【発明を実施するための最良の形態】
【００２０】
次に、本発明の実施例について図面を参照して説明する。図１は本発明の一実施例によるモバイルネットワークの構成を示すブロック図である。図１において、本発明の一実施例によるモバイルネットワークは無線ネットワーク制御装置（ＲＮＣ：Ｒａｄｉｏ  Ｎｅｔｗｏｒｋ  Ｃｏｎｔｒｏｌｌｅｒ）１と、無線基地局（Ｎｏｄｅ−Ｂ）２−１〜２−ｍ，３−１〜３−ｎと、無線ネットワーク多重装置（ＲＡＮ−ＭＵＸ：Ｒａｄｉｏ  Ａｃｃｅｓｓ  Ｎｅｔｗｏｒｋ−Ｍｕｌｔｉｐｌｅｘｅｒ）４とから構成されている。
【００２１】
無線ネットワーク多重装置４は無線ネットワーク制御装置１と、無線基地局３−１〜３−ｎとの間に配設され、無線基地局２−１〜２−ｍは無線ネットワーク制御装置１に直接接続されている。
【００２２】
無線ネットワーク制御装置１からは１台の無線ネットワーク多重装置４を１台の無線基地局と認識し、無線ネットワーク多重装置４配下の無線基地局３−１〜３−ｎは無線ネットワーク制御装置１にて認識されない。よって、１台の無線ネットワーク制御装置１からは無線ネットワーク制御装置１直接配下の無線基地局２−１〜２−ｍと無線ネットワーク多重装置４とを合わせて数十台まで接続が可能である。
【００２３】
無線ネットワーク多重装置４は無線ネットワーク制御装置１に比べて複雑な機能を持たないため、無線ネットワーク制御装置１の購入に比べて安価で省スペースが期待される。したがって、本実施例では、無線基地局３−１〜３−ｎを無線ネットワーク多重装置４を介して無線ネットワーク制御装置１に接続することによって、数十台という制限を超えた無線基地局において通信を行うことができる。
【００２４】
図２は図１の無線ネットワーク多重装置４の構成を示すブロック図である。図４において、無線ネットワーク多重装置４は無線ネットワーク多重機能４１と、Ｎｏｄｅ−Ｂ識別タグ割り当て機能４２と、Ｎｏｄｅ−Ｂ信号変換機能４３と、ＲＮＣ信号変換機能４４と、Ｎｏｄｅ−Ｂ識別タグ登録テーブル４５とから構成されている。
【００２５】
無線ネットワーク多重機能４１は配下の無線基地局３−１〜３−ｎを無線ネットワーク制御装置１に接続する機能であり、無線基地局３−１〜３−ｎ及び無線ネットワーク制御装置１に対する信号の入出力処理を行う。
【００２６】
Ｎｏｄｅ−Ｂ識別タグ割り当て機能４２は配下の無線基地局３−１〜３−ｎ各々にＮｏｄｅ−Ｂ識別タグを割り当てる処理を行う。Ｎｏｄｅ−Ｂ信号変換機能４３は配下の無線基地局３−１〜３−ｎ各々からの要求や応答等の信号を無線ネットワーク制御装置１に送信するために信号の変換処理を行う。
【００２７】
ＲＮＣ信号変換機能４４は無線ネットワーク制御装置１からの要求や応答等の信号を配下の無線基地局３−１〜３−ｎ各々に送信するために信号の変換処理を行う。Ｎｏｄｅ−Ｂ識別タグ登録テーブル４５は配下の無線基地局３−１〜３−ｎ各々とそれらに割り当てたＮｏｄｅ−Ｂ識別タグとの関係を保持する。
【００２８】
上述した本発明の一実施例によるモバイルネットワークにおける通信初期手順の概略について説明する。この通信初期手順は、（１）Ｎｏｄｅ−Ｂ識別タグ割り当て、（２）ＲＡＣＨ（Ｒａｎｄｏｍ  Ａｃｃｅｓｓ  Ｃｈａｎｎｅｌ）（ＲＲＣ  Ｃｏｎｎｅｃｔｉｏｎ）、（３）ＮＢＡＰ（Ｎｏｄｅ−Ｂ  Ａｐｐｌｉｃａｔｉｏｎ  Ｐｒｏｔｏｃｏｌ）（Ｒａｄｉｏ  Ｌｉｎｋ  Ｓｅｔｕｐ）、（４）ＡＬＣＡＰ（Ａｃｃｅｓｓ  Ｌｉｎｋ  Ｃｏｎｔｒｏｌ  Ａｐｐｌｉｃａｔｉｏｎ  Ｐｒｏｔｏｃｏｌ）（Ｃｏｎｎｅｃｔｉｏｎ  Ｓｅｔｕｐ）、（５）ＦＡＣＨ（Ｆｏｒｗａｒｄ  Ａｃｃｅｓｓ  Ｃｈａｎｎｅｌ）［ＲＲＣ（Ｒａｄｉｏ  Ｒｅｓｏｕｒｃｅ  Ｃｏｎｔｒｏｌ）  Ｃｏｎｎｅｃｔｉｏｎ  Ｓｅｔｕｐ］、（６）ＤＣＨ（Ｄｅｄｉｃａｔｅｄ  Ｃｈａｎｎｅｌ）（ＤＣＨ  Ｓｙｎｃｈｒｏｎｉｚａｔｉｏｎ）という順序で行われる。
【００２９】
「Ｎｏｄｅ−Ｂ識別タグ割り当て」は無線ネットワーク多重装置４配下の無線基地局３−１〜３−ｎを識別するための処理である。「ＲＡＣＨ（ＲＲＣ  Ｃｏｎｎｅｃｔｉｏｎ）」はＲＲＣ  Ｃｏｎｎｅｃｔｉｏｎを確立するための処理である。
【００３０】
「ＮＢＡＰ（Ｒａｄｉｏ  Ｌｉｎｋ  Ｓｅｔｕｐ）」は無線基地局３−１〜３−ｎの新たなＮｏｄｅ  Ｂ  Ｃｏｍｍｕｎｉｃａｔｉｏｎ  Ｃｏｎｔｅｘｔのために必要リソースを確立するための処理である。「ＡＬＣＡＰ（Ｃｏｎｎｅｃｔｉｏｎ  Ｓｅｔｕｐ）」はＡＡＬ［ＡＴＭ（Ａｓｙｎｃｈｒｏｎｏｕｓ  Ｔｒａｎｓｆｅｒ  Ｍｏｄｅ）  Ａｄａｐｔａｔｉｏｎ  Ｌａｙｅｒ］  ｔｙｐｅ  ２  ｃｏｎｎｅｃｔｉｏｎを確立する手順である。
【００３１】
「ＦＡＣＨ（ＲＲＣ  Ｃｏｎｎｅｃｔｉｏｎ  Ｓｅｔｕｐ）」はＲＲＣ  Ｃｏｎｎｅｃｔｉｏｎを確立するための処理である。「ＤＣＨ（ＤＣＨ  Ｓｙｎｃｈｒｏｎｉｚａｔｉｏｎ）」は装置間の個別チャンネルの同期を取るための処理である。
【００３２】
図３は本発明の一実施例によるＲＲＣ  Ｃｏｎｎｅｃｔｉｏｎ手順（Ｒｅｑｕｅｓｔ）を示すシーケンスチャートであり、図４は本発明の一実施例によるＲａｄｉｏ  Ｌｉｎｋ  Ｓｅｔｕｐ手順を示すシーケンスチャートであり、図５は本発明の一実施例によるＣｏｎｎｅｃｔｉｏｎ  Ｓｅｔｕｐ手順を示すシーケンスチャートである。
【００３３】
図６は本発明の一実施例によるＲＲＣ  Ｃｏｎｎｅｃｔｉｏｎ  Ｓｅｔｕｐ手順（Ｒｅｓｐｏｎｓｅ）を示すシーケンスチャートであり、図７は本発明の一実施例によるＤＣＨ  Ｓｙｎｃｈｒｏｎｉｚａｔｉｏｎ手順を示すシーケンスチャートである。これら図１〜図７を参照して本発明の一実施例によるモバイルネットワークにおける通信初期手順について説明する。
【００３４】
上記の「（１）Ｎｏｄｅ−Ｂ識別タグ割り当て」において、無線ネットワーク多重装置４は自装置の起動時または配下の無線基地局３−１〜３−ｎ各々の起動時に、Ｎｏｄｅ−Ｂ識別タグ割り当て機能４２にて無線基地局３−１〜３−ｎ各々に対して各無線基地局３−１〜３−ｎ個別のＮｏｄｅ−Ｂ識別タグを割り当てる。このＮｏｄｅ−Ｂ識別タグは無線ネットワーク多重装置４配下の無線基地局３−１〜３−ｎ以外の無線基地局に対して何ら影響を与えることはない。
【００３５】
「（２）ＲＡＣＨ（ＲＲＣ  Ｃｏｎｎｅｃｔｉｏｎ）」において、無線基地局３−１〜３−ｎは移動体端末（ＭＳ：Ｍｏｂｉｌｅ  Ｓｔａｔｉｏｎ）から「ＲＲＣ  Ｃｏｎｎｅｃｔｉｏｎ  Ｒｅｑｕｅｓｔ」が送られてくると、その要求信号の最後に自装置に割り当てられたＮｏｄｅ−Ｂ識別タグを付加し、「ＲＲＣ  Ｃｏｎｎｅｃｔｉｏｎ  Ｒｅｑｕｅｓｔ  （ＭＵＸ）」を生成して無線ネットワーク多重装置４に送信する（図３のａ１）。
【００３６】
無線ネットワーク多重装置４は無線基地局３−１〜３−ｎから送られてきた「ＲＲＣ  Ｃｏｎｎｅｃｔｉｏｎ  Ｒｅｑｕｅｓｔ（ＭＵＸ）」をＮｏｄｅ−Ｂ信号変換機能４３にてそのまま「ＲＲＣ  Ｃｏｎｎｅｃｔｉｏｎ  Ｒｅｑｕｅｓｔ（ＲＮＣ）」とし、無線ネットワーク制御装置１へ送信する（図３のａ２）。また、無線ネットワーク多重装置４は無線基地局３−１〜３−ｎとＮｏｄｅ−Ｂ識別タグとの関係をＮｏｄｅ−Ｂ識別タグ登録テーブル４５に記憶する。
【００３７】
無線ネットワーク制御装置１は「（４）ＡＬＣＡＰ  Ｃｏｎｎｅｃｔｉｏｎ  Ｓｅｔｕｐ」が終わるまで、無線ネットワーク多重装置４からの「ＲＲＣ  Ｃｏｎｎｅｃｔｉｏｎ  Ｒｅｑｕｅｓｔ（ＲＮＣ）」を一時的に記憶する。この場合、無線ネットワーク制御装置１ではＮｏｄｅ−Ｂ識別タグを無線基地局３−１〜３−ｎに対する処理に使用しない（意識しない）。
【００３８】
「（３）ＮＢＡＰ（Ｒａｄｉｏ  Ｌｉｎｋ  Ｓｅｔｕｐ）」において、無線ネットワーク制御装置１はＮｏｄｅ−Ｂ識別タグを付けた「Ｒａｄｉｏ  Ｌｉｎｋ  Ｓｅｔｕｐ  Ｒｅｑｕｅｓｔ（ＲＮＣ）」を無線ネットワーク多重装置４に送信する（図４のｂ１）。
【００３９】
無線ネットワーク多重装置４は無線ネットワーク制御装置１からの「Ｒａｄｉｏ  Ｌｉｎｋ  Ｓｅｔｕｐ  Ｒｅｑｕｅｓｔ（ＲＮＣ）」をＲＮＣ信号変換機能４４にて「Ｒａｄｉｏ  Ｌｉｎｋ  Ｓｅｔｕｐ  Ｒｅｑｕｅｓｔ（ＭＵＸ）」とし、Ｎｏｄｅ−Ｂ識別タグにしたがって無線基地局３−１〜３−ｎへ送信する（図４のｂ２）。
【００４０】
無線基地局３−１〜３−ｎは「Ｒａｄｉｏ  Ｌｉｎｋ  Ｓｅｔｕｐ  Ｒｅｑｕｅｓｔ（ＭＵＸ）」を受取ると、「Ｒａｄｉｏ  Ｌｉｎｋ  Ｓｅｔｕｐ  Ｒｅｓｐｏｎｓｅ（ＭＵＸ）」を無線ネットワーク多重装置４に送信する（図４のｂ３）。
【００４１】
無線ネットワーク多重装置４は無線基地局３−１〜３−ｎからの「Ｒａｄｉｏ  Ｌｉｎｋ  Ｓｅｔｕｐ  Ｒｅｓｐｏｎｓｅ（ＭＵＸ）」をＮｏｄｅ−Ｂ信号変換機能４３にて「Ｒａｄｉｏ  Ｌｉｎｋ  Ｓｅｔｕｐ  Ｒｅｓｐｏｎｓｅ（ＲＮＣ）」とし、無線ネットワーク制御装置１へ送信する（図４のｂ４）。
【００４２】
「（４）ＡＬＣＡＰ（Ｃｏｎｎｅｃｔｉｏｎ  Ｓｅｔｕｐ）」において、無線ネットワーク制御装置１はＶＰＩ（Ｖｉｒｔｕａｌ  Ｐａｔｈ  Ｉｄｅｎｔｉｆｉｅｒ）／ＶＣＩ（Ｖｉｒｔｕａｌ  Ｃｈａｎｎｅｌ  Ｉｄｅｎｔｉｆｉｅｒ）／ＣＩＤ（Ｃｅｌｌ  Ｉｄｅｎｔｉｆｉｅｒ）／Ｎｏｄｅ−Ｂ識別用タグの各情報を乗せた「Ｅｓｔａｂｌｉｓｈ  Ｒｅｑｕｅｓｔ（ＲＮＣ）」を無線ネットワーク多重装置４に送信する（図５のｃ１）。
【００４３】
無線ネットワーク多重装置４は「Ｅｓｔａｂｌｉｓｈ  Ｒｅｑｕｅｓｔ（ＲＮＣ）」のＮｏｄｅ−Ｂ識別タグから送信先の無線基地局３−１〜３−ｎを特定し、ＶＰＩ／ＶＣＩ／ＣＩＤと無線基地局３−１〜３−ｎとの関係をＮｏｄｅ−Ｂ識別タグ登録テーブル４５に記憶する。無線ネットワーク多重装置４はこの特定された無線基地局３−１〜３−ｎに「Ｅｓｔａｂｌｉｓｈ  Ｒｅｑｕｅｓｔ（ＭＵＸ）」を送信する（図５のｃ２）。
【００４４】
無線基地局３−１〜３−ｎは「Ｅｓｔａｂｌｉｓｈ  Ｒｅｑｕｅｓｔ（ＭＵＸ）」を受取ると、「Ｅｓｔａｂｌｉｓｈ  Ｒｅｓｐｏｎｓｅ（ＭＵＸ）」を無線ネットワーク多重装置４に送信する（図５のｃ３）。
【００４５】
無線ネットワーク多重装置４は無線基地局３−１〜３−ｎからの「Ｅｓｔａｂｌｉｓｈ  Ｒｅｓｐｏｎｓｅ（ＭＵＸ）」をＮｏｄｅ−Ｂ信号変換機能４３にて「Ｅｓｔａｂｌｉｓｈ  Ｒｅｓｐｏｎｓｅ（ＲＮＣ）」とし、無線ネットワーク制御装置１へ送信する（図５のｃ４）。
【００４６】
「（５）ＦＡＣＨ（ＲＲＣ  Ｃｏｎｎｅｃｔｉｏｎ  Ｓｅｔｕｐ）」において、無線ネットワーク制御装置１は無線ネットワーク多重装置４に実行すべき無線基地局３−１〜３−ｎを指定するタグをつけた状態で、「ＲＲＣ  Ｃｏｎｎｅｃｔｉｏｎ  Ｓｅｔｕｐ（ＲＮＣ）」を無線ネットワーク多重装置４に送信する（図６のｄ１）。
【００４７】
無線ネットワーク多重装置４は「ＲＲＣ  Ｃｏｎｎｅｃｔｉｏｎ  Ｓｅｔｕｐ（ＲＮＣ）」の指定タグを識別し、送信先の無線基地局３−１〜３−ｎを指定する。無線ネットワーク多重装置４は「ＲＲＣ  Ｃｏｎｎｅｃｔｉｏｎ  Ｓｅｔｕｐ（ＲＮＣ）」をＲＮＣ信号変換機能４４にて「ＲＲＣ  Ｃｏｎｎｅｃｔｉｏｎ  Ｓｅｔｕｐ（ＭＵＸ）」とし、指定した無線基地局３−１〜３−ｎに送信する（図６のｄ２）。
【００４８】
この時点で、無線ネットワーク制御装置１は一時的に記憶している「ＲＲＣ  Ｃｏｎｎｅｃｔｉｏｎ  Ｒｅｑｕｅｓｔ（ＲＮＣ）」を消去する。
【００４９】
「（６）ＤＣＨ（ＤＣＨ  Ｓｙｎｃｈｒｏｎｉｚａｔｉｏｎ）」において、無線ネットワーク制御装置１はＶＰＩ／ＶＣＩ／ＣＩＤを含んだ「ＤＬ（Ｄｏｗｎｌｉｎｋ）  Ｓｙｎｃ（ＲＮＣ）」を無線ネットワーク多重装置４に送信する（図７のｅ１）。
【００５０】
無線ネットワーク多重装置４は「ＤＬ（Ｄｏｗｎｌｉｎｋ）  Ｓｙｎｃ（ＲＮＣ）」のリンク情報から送信先の無線基地局３−１〜３−ｎを割り出し、「ＤＬ（Ｄｏｗｎｌｉｎｋ）  Ｓｙｎｃ（ＲＮＣ）」をＲＮＣ信号変換機能４４にて「ＤＬ  Ｓｙｎｃ（ＭＵＸ）」とし、特定した無線基地局３−１〜３−ｎに送信する（図７のｅ２）。
【００５１】
無線基地局３−１〜３−ｎは「ＤＬ  Ｓｙｎｃ（ＭＵＸ）」を受取ると、「ＵＬ（Ｕｐｌｉｎｋ）  Ｓｙｎｃ（ＭＵＸ）」を無線ネットワーク多重装置４に送信する（図７のｅ３）。無線ネットワーク多重装置４は「ＵＬ  Ｓｙｎｃ（ＭＵＸ）」をＮｏｄｅ−Ｂ信号変換機能４３にて「ＵＬ  Ｓｙｎｃ（ＲＮＣ）」とし、無線ネットワーク制御装置１へ送信する（図７のｅ４）。
【００５２】
図８は本発明の一実施例によるモバイルネットワークの設置例を示す図である。図８において、局舎内に設置された無線ネットワーク制御装置１は同じ局舎内の無線ネットワーク多重装置４に接続されるとともに、局舎外の屋外用無線基地局２に接続されている。無線ネットワーク多重装置４はビル内の屋内用無線基地局３−１〜３−１２に接続されている。
【００５３】
無線ネットワーク制御装置１は１台の無線ネットワーク多重装置４を１台の無線基地局と認識し、無線ネットワーク多重装置４配下の屋内用無線基地局３−１〜３−１２を認識しない。よって、１台の無線ネットワーク制御装置１からは無線ネットワーク制御装置１直接配下の屋外用無線基地局２と、無線ネットワーク多重装置４とを合わせて数十台まで接続が可能である。無線ネットワーク多重装置４配下の屋内用無線基地局３−１〜３−１２の接続台数は無線ネットワーク多重装置４の処理能力に依存とする。
【００５４】
このように、本実施例では、無線ネットワーク制御装置１と無線基地局３−１〜３−ｎとの間に無線ネットワーク多重装置４を配備するだけなので、無線ネットワーク制御装置１の設置費用を抑えることができ、通信事業者の支出を圧縮することができる。
【００５５】
また、本実施例では、無線ネットワーク制御装置１と無線基地局３−１〜３−ｎとの間に無線ネットワーク多重装置４を配備するだけであり、無線ネットワーク多重装置４が無線ネットワーク制御装置１に比べて簡易な機能であるため、その設置スペースの縮小が期待される。
【００５６】
さらに、本実施例では、無線ネットワーク制御装置１と無線基地局３−１〜３−ｎとの間に無線ネットワーク多重装置４を配備するだけなので、エリアの谷間や山間部の小集落、地下・屋内等に、無線ネットワーク制御装置１の制限に依存することなく、無線基地局３−１〜３−ｎを設置することができ、通信エリアを拡大することができる。
【００５７】
さらにまた、本実施例では、無線ネットワーク制御装置１と無線基地局３−１〜３−ｎとの間に無線ネットワーク多重装置４を配備するだけなので、通話品質の低いエリアにおいても、無線ネットワーク制御装置１の制限に依存することなく、無線基地局３−１〜３−ｎを設置することができ、通信品質を改善することができる。
【図面の簡単な説明】
【００５８】
【図１】本発明の一実施例によるモバイルネットワークの構成を示すブロック図である。
【図２】図１の無線ネットワーク多重装置の構成を示すブロック図である。
【図３】本発明の一実施例によるＲＲＣ  Ｃｏｎｎｅｃｔｉｏｎ手順（Ｒｅｑｕｅｓｔ）を示すシーケンスチャートである。
【図４】本発明の一実施例によるＲａｄｉｏ  Ｌｉｎｋ  Ｓｅｔｕｐ手順を示すシーケンスチャートである。
【図５】本発明の一実施例によるＣｏｎｎｅｃｔｉｏｎ  Ｓｅｔｕｐ手順を示すシーケンスチャートである。
【図６】本発明の一実施例によるＲＲＣ  Ｃｏｎｎｅｃｔｉｏｎ  Ｓｅｔｕｐ手順（Ｒｅｓｐｏｎｓｅ）を示すシーケンスチャートである。
【図７】本発明の一実施例によるＤＣＨ  Ｓｙｎｃｈｒｏｎｉｚａｔｉｏｎ手順を示すシーケンスチャートである。
【図８】本発明の一実施例によるモバイルネットワークの設置例を示す図である。
【図９】従来のモバイルネットワークの構成を示すブロック図である。
【符号の説明】
【００５９】
１  無線ネットワーク制御装置
２，２−１〜２−ｍ  無線基地局（屋外用無線基地局）
３−１〜３−ｎ  無線基地局（屋内用無線基地局）
４  無線ネットワーク多重装置
４１  無線ネットワーク多重機能
４２  Ｎｏｄｅ−Ｂ識別タグ割り当て機能
４３  Ｎｏｄｅ−Ｂ信号変換機能
４４  ＲＮＣ信号変換機能
４５  Ｎｏｄｅ−Ｂ識別タグ登録テーブル
【図１】
2005354240.tif 000003
【図２】
2005354240.tif 000004
【図３】
2005354240.tif 000005
【図４】
2005354240.tif 000006
【図５】
2005354240.tif 000007
【図６】
2005354240.tif 000008
【図７】
2005354240.tif 000009
【図８】
2005354240.tif 000010
【図９】
2005354240.tif 000011